(57)【特許請求の範囲】
【請求項１】
軸筒の内部に筆記体ユニットが出没可能に配置され、その筆記体ユニットの外周には中軸を囲繞し、また、前記軸筒にはクリップを配置し、そのクリップの前方部に玉部を設け、その玉部を前記筆記体ユニットの中軸に係止させることによって、筆記体ユニットの軸筒からの突出状態を維持させた出没式の筆記具であって、その突出状態の維持を解除する過程において、前記クリップの玉部を中軸の係合部に継続的に接触させると共に、その係合部を軸筒内に設け、また、前記クリップの玉部の軸筒側における横幅を軸筒遠方側における横幅よりも狭く形成した出没式筆記具。
【請求項２】
前記中軸に、前記クリップの玉部の少なくとも下端部近傍を接触させた請求項１記載の出没式筆記具。
【請求項３】
前記玉部をクリップの両側部に形成し、その両側部に形成した玉部によって、それらの玉部間に空間部を形成した請求項１、或いは、請求項２に記載の出没式筆記具。
【請求項４】
前記クリップの玉部を中軸に係止させた際、クリップの前方部の表面が軸筒の表面に対して埋没してなる請求項１〜請求項３の何れかに記載の出没式筆記具。
【発明の詳細な説明】
【技術分野】
【０００１】
本発明は、軸筒の内部に筆記体ユニットが出没可能に配置され、その筆記体ユニットの外周には中軸を囲繞し、また、前記軸筒にはクリップを配置し、そのクリップの前方部に玉部を設け、その玉部を前記筆記体ユニットの中軸に係止させることによって、筆記体ユニットの軸筒からの突出状態を維持させた出没式の筆記具に関する。
【背景技術】
【０００２】
１例として、軸筒の内部に中軸に囲繞された筆記体ユニットを出没可能に配置し、その筆記体ユニットの突出時においては、クリップの前方に形成された玉部近傍に固定されている連結部材の先端係合部を前記中軸の後端周縁部に係止させることによって、前記筆記体ユニットの突出状態を維持した出没式の筆記具が知られている。その筆記体ユニットを軸筒内に没入させる際には、前記クリップの玉部近傍に固定されている連結部材の係合部を軸筒から離隔することによって、その連結部材の係合部と筆記体ユニットとの係合を解除させ、その筆記体ユニットを弾撥部材の付勢力によって軸筒内に後退させるというものである。
【特許文献１】特開２００３−２２０７９５号公報
【発明の開示】
【発明が解決しようとする課題】
【０００３】
しかし、上述した従来の技術にあっては、筆記体ユニットの突出状態においては、弾撥部材の付勢力によって、常に、筆記体ユニットの中軸の後端周縁部が、連結部材の係合部の先端面に接触し、付勢されている。この付勢力は、弾撥部材の弾発力によるものであり、筆記体ユニットの中軸の後端周縁部を前記の付勢力によって徐々に変形させるに至っている。特に、突出状態で筆記体を落下させてしまった場合には、その衝撃力が加わり前記の変形は顕著になってしまっている。筆記体ユニットの中軸が金属材質から構成されているのであるならば、前記の変形は少ないものの、近年においてコストダウンの観点から樹脂成型品とすることが一般的であり、前記の変形は顕著になっている。
この筆記体ユニットの突出時における、前記中軸の変形作用や落下時における変形作用に加え、筆記体ユニットを没入させる際には、前記の付勢力が与えられながら、連結部材の先端（係合部）が中軸の後端周縁部を摺動する。この摺動作用により、中軸の後端周縁部の変形がさらに助長されてしまう。そして、終には、中軸の後端周縁部が抉られたように変形してしまい、筆記体ユニットを突出させた際、連結部材の係合部が中軸の後端周縁部に係合されなくなってしまい、その結果、筆記体ユニットの突出状態が維持されなくなってしまっていた。
【課題を解決するための手段】
【０００４】
本発明は、軸筒の内部に筆記体ユニットが出没可能に配置され、その筆記体ユニットの外周には中軸を囲繞し、また、前記軸筒にはクリップを配置し、そのクリップの前方部に玉部を設け、その玉部を前記筆記体ユニットの中軸に係止させることによって、筆記体ユニットの軸筒からの突出状態を維持させた出没式の筆記具であって、その突出状態の維持を解除する過程において、前記クリップの玉部を中軸の係合部に継続的に接触させると共に、その係合部を軸筒内に設け、また、前記クリップの玉部の軸筒側における横幅を軸筒遠方側における横幅よりも狭く形成したことを要旨とする。
【発明の効果】
【０００５】
本発明は、軸筒の内部に筆記体ユニットが出没可能に配置され、その筆記体ユニットの外周には中軸を囲繞し、また、前記軸筒にはクリップを配置し、そのクリップの前方部に玉部を設け、その玉部を前記筆記体ユニットの中軸に係止させることによって、筆記体ユニットの軸筒からの突出状態を維持させた出没式の筆記具であって、その突出状態の維持を解除する過程において、前記クリップの玉部を中軸の係合部に継続的に接触させると共に、その係合部を軸筒内に設け、また、前記クリップの玉部の軸筒側における横幅を軸筒遠方側における横幅よりも狭く形成したので、長期に渡って、良好な突出動作が得られる出没式の筆記具を提供することができる。
【図面の簡単な説明】
【０００６】
【図１】第１例を示す縦半断面図。
【図２】図１のＡ部拡大図。
【図３】図１のＢ−Ｂ線断面図。
【図４】クリップの拡大外観斜視図。
【図５】クリップの正面図。
【図６】クリップの側面図。
【図７】図１の斜視図。
【図８】図７のＣ部拡大図。
【図９】解除過程を示す要部拡大図。
【図１０】図９のＤ−Ｄ線断面図。
【図１１】図９の斜視図。
【図１２】中軸を示す外観斜視図。
【図１３】第２例を示す要部拡大図。
【図１４】解除過程を示す要部拡大図。
【図１５】第３例を示す要部拡大図。
【図１６】解除過程を示す要部拡大図。
【図１７】第４例を示す要部拡大図。
【図１８】第５例を示す要部拡大図。
【図１９】第６例を示すクリップの左方向外観斜視図。
【図２０】図１９の右方向外観斜視図。
【発明を実施するための最良の形態】
【０００７】
作用について説明する。筆記体ユニットが突出しているときは、筆記体ユニットの中軸の平面部と玉部の平面部、或いは、中軸の平面部と玉部の角部、或いは、曲部が接触しているが、筆記体ユニットの没入動作における解除動作過程においては、筆記体ユニットの中軸の平面部を玉部の角部、或いは、曲部が継続的に接触し移動する。
【０００８】
以下、本発明の実施例について図面に基づき詳細に説明する。第１例として、筆記具におけるクリップと軸筒との連結構造を挙げ説明する。軸筒１は、前軸２と後軸３とから構成されており、それら前軸２と後軸３は螺合によって着脱自在に固定されている。また、前軸２の表面には、ゴム状弾性体からなるグリップ部材４が挿着されているが、そのグリップ部材４の表面には、断面形状が楕円の突部５が形成されている。そして、そのグリップ部材４の表面には、金属材質からなる外筒６が挿着されているが、その外筒６には多数の貫通孔７が形成されており、その貫通孔７から前記グリップ部材４の突部５が露出している。また、その外筒６の表面には、微細なローレット加工が施されており、そのローレット加工部、並びに、前記グリップ部材４の突部５によって滑り防止効果が発生している。
符号８は、前記前軸１の先端に着脱自在に取り付けられた先部材であって、その先部材８の先端は後述する筆記体ユニットが出没する先端開口部９となっている。
【０００９】
前記後軸３の後方部の側面には、ほぼ長方形状の前方窓孔１０と、ほぼ中央部に縮形部を有する後方窓孔１１が形成されている。その後方窓孔１１には、金属材質からなるクリップ１２と後軸３とを連結する連結部材１３が挿着されている。その連結部材１３は、金属材質からなる板状部材を折り曲げることによって形成されている。
前記クリップ１２は後方部が軸筒１の方向に向かって接近する湾曲した形状をなしており、その湾曲させた部分によって指への感触を良好なものとしていると共に、クリップ１２の後部を軸筒１に接近せしめることによって、クリップ１２と軸筒１との一体感を向上させている。また、そのクリップ１２の後部の湾曲した部分の表面には、圧延加工などによって高さの低い凸状の模様が施されており美感を向上させていると共に、その湾曲部を操作する際の滑り止め効果も果たしている。
さらに、クリップ１２の前方部の両側には、軸筒１の方向に向かって隆起する半円弧状の玉部１４が形成されているが、その玉部１４の前端部は切り欠かれた平面状の先端面部１４ａとなっており、後述する中軸の後端面と面状で接触している。また、クリップの両側に玉部１４を形成することによって、それらの玉部１４間には、空間部１４ｂが形成されている。その空間部１４ｂに後述する芯タンクの一部を位置させることによって、クリップ１２の玉部１４をより多く中軸に接触させようとしているのである。また、玉部１４を軸筒１の内径方向へ侵入させることができるため、クリップ１２の軸筒１の表面に対する露出も少なくすることができ、強いては、クリップ１２の表面を軸筒１の内部に埋没させることができるものとなっている。これによって、使用中、指の付け根部分がクリップ１２に接触してしまうことを防止することができ、違和感なく、筆記作業を行うことができる。さらに、前記玉部１４は、軸筒１の方向に向かって互いが僅かに接近し合っている。即ち、対向する玉部１４を逆「ハ」の字にすることによって、前記後軸３に形成された前方窓孔１０への侵入を容易なものとしている。つまり、クリップ１２の軸線が軸筒１の軸線に対して、多少歪んでいても玉部１４がテーパー状（逆「ハ」の字）をなしているため、前方窓孔１０に案内されやすいのである（図３、図５参照）。
一方、クリップ１２の中間後方部の両側にも軸筒１の方向に向かって隆起する隆起部１５が形成されており、その隆起部１５には貫通孔１６が形成されている。
この対向する位置に形成された隆起部１５の間には、クリップ１２と軸筒１とを連結する前記連結部材１３が装着されている。その連結部材１３は、箱状をなしており、板状部材を四角形に折り曲げることにより形成されている。
【００１０】
連結部材１３の側面のほぼ中央部には貫通孔１７が形成されており、その貫通孔１７には支軸１８が挿着されている。また、その支軸１８は前記クリップ１２の貫通孔１６をも貫通している。さらに、支軸１８は軸筒１とクリップ１２との間に装着されたコイル部を有するねじりコイルばね１９をも挿着している。即ち、そのねじりコイルばね１９によって、クリップ１２の玉部１４は、軸筒１の方向に向かって付勢されているのである。
【００１１】
前記軸筒１の内部には、筆記体ユニット２０が前後動可能、且つ、前記先部材８の先端から出没することが可能に配置されている。本例において、前記筆記体ユニット２０は鉛筆芯を繰り出すシャープペンシルユニットである。以下、詳述する。コイルスプリングなどの弾撥部材２１によって後方に付勢された中軸２２の内部には、芯を複数本収容する芯タンク２３が前後動可能に配置されており、その芯タンク２３の前方には２つの継手２４を介して芯の把持・開放を行うチャック体２５が固定されている。そのチャック体２５の前方には、チャック体２５の開閉を行うチャックリング２６が囲繞している。また、前記中軸２２の前方には、先金２７が螺合などの手段によって固定されており、その先金２７には、芯の後退を阻止するゴム状弾性体からなる芯戻り止め部材２８が内設している。符号２９は繰り出された芯の案内を行うガイドパイプであって、符号３０は芯タンク２３やチャック体２５などを後方に向けて付勢するコイルスプリングなどの弾撥部材である。
尚、前記前軸２の前方内周面の縦方向には、縦突起３１が形成されており、その縦突起３１には、前記中軸２２の前方外周面に形成された縦溝３２が嵌り込み、係合している。それら縦突起３１や縦溝３２は、等間隔な４箇所に形成されているが、３個所であっても良く、或いは、５個所などであっても良い。つまり、これら縦突起３１と縦溝３２との係合によって、前軸２と中軸２２との相対的な回転が防止されているのである。
また、その中軸２２は、ポリアセタールやポリプロピレンなどの樹脂材質から成形されているが、ステンレスや真鍮と言った金属材質から形成しても良い。樹脂材質とすることによって、安価に製作することができると共に、軽量化が図れる。
【００１２】
一方、芯タンク２３の後方には、消しゴム受け部材３３が固定されており、その消しゴム受け部材３３の後方には消しゴム３４が着脱自在に取り付けられている。また、消しゴム受け部材３３の後方には、前記消しゴム３４を覆うようにノック部材３５が着脱自在に圧入されている。尚、前記芯タンク２３は、ステンレスや真鍮と言った金属材質から形成されているが、安価なポリアセタールやポリプロピレンなどの樹脂材質から成形しても良い。
【００１３】
尚、前記中軸２２の後部には、大径部３６が形成されており、その大径部３６の後端面部３６ａが前記クリップ１２の玉部１４との係合部となっている。即ち、筆記体ユニット２０が突出した際には、その大径部３６の後端面部３６ａがクリップ１２の玉部１４の先端面部１４ａに接触・係合することによって、筆記体ユニット２０の後退が阻止され、その結果、筆記体ユニット２０の突出状態が維持されるのである。本例においては、中軸２２の後端面部３６ａの「面」と、玉部１４の先端面部１４ａの「面」との接触によって、前記の係合が維持されている。即ち、玉部１４の先端面部１４ａの上端部１４ｃから下端部１４ｄのほぼ全ての領域において中軸２２の後端面部３６ａに接触しており、これによって、前記弾撥部材２１の付勢力を互いの「面」で受けることができる。
尚、本例においては、玉部１４の下端部１４ｄ近傍が芯タンク２３の一部に架かっており、これによって、玉部１４を確実に軸筒１内に侵入させることができ、もって、中軸２２との係合領域が増加し強固なものとすることができると共に、クリップ１２の先端表面を軸筒１の表面から埋没させることもできている。
ここで、クリップ１２の後部を指などによって軸筒１の方向に押圧すると、クリップ１２の前方が軸筒１から離れ拡開し、この時、玉部１４の先端面部１４ａと中軸３３の大径部３６の後端面部３６ａとの係合が解除され、前記筆記体ユニット２０は弾撥部材２１の付勢力によって後方に移動する。これによって筆記体ユニット２０は軸筒１内へと没入される。この係合の解除過程において（図９〜図１１参照）、玉部１４の先端面部１４ａの下端部１４ｄは、クリップ１２の回転と共に円弧動作を行うが、この円弧動作において玉部１４の前記下端部１４ｄは、中軸２２の後端面部３６ａの領域を継続的に接触しながら摺動することになる。
【００１４】
第２例を図１３〜図１４に示し説明する。筆記体ユニット２０を突出させた際、つまり、筆記体ユニット２０（中軸２２）とクリップ１２を係合させた際、玉部１４の先端面部１４ａの上端部１４ｃを中軸２２の後端外周縁部３６ｂに接触・係合させた例である。本例においては、その係合時においては中軸２２の後端外周縁部３６ｂに接触しているものの、その係合の解除過程においては、クリップ１２の玉部１４の先端面部１４ａが中軸２２の後端面部３６ａのほぼ全領域と面接触することになり（図１４参照）、次いで、玉部１４の下端部１４ｄが中軸２２の後端面部３６ａの領域を継続的に接触しながら摺動し得るようになっている。
この様に、係合の解除過程において、玉部１４の先端面部１４ａを中軸２２の後端面部３６ａのほぼ全領域に面接触させることによって、接触面積が増加し、その結果、弾撥部材２１の付勢力を分散させることができ、後端面部３６ａの損傷を防止することができる。また、前記係合の解除時においても、玉部１４の上端部１４ｃが中軸２２の後端外周縁部３６ｂに点接触しているため、その係合の解除がし易いものとなっている。
【００１５】
第３例を図１５、図１６に示し説明する筆記体ユニット２０を突出させた際、つまり、筆記体ユニット２０（中軸２２）とクリップ１２を係合させた際、玉部１４の先端面部１４ａの下端部１４ｄを中軸２２の後端内周縁部３６ｃに接触・係合させた例である。本例においては、その係合時においては玉部１４の先端面部１４ａの下端部１４ｄを中軸２２の後端内周縁部に３６ｃに接触・係合させているものの、その係合の解除過程においては、玉部１４の下端部１４ｄが中軸２２の後端面部３６ａの領域を継続的に接触しながら摺動し得るようになっている（図１６参照）。
この様に、玉部１４の先端面部１４ａの下端部１４ｄを中軸２２の後端内周縁部３６ｃに接触・係合させることによって、万が一、弾撥部材２１の付勢力によって、後端内周縁部に３６ｃが抉られるように変形したとしても、それら中軸２２と玉部１４との係合は維持されることになる。強いては、玉部１４の下端部１４ｄが中軸２２の後端内周縁部３６ｃに食い込むようになり、前記の係合作用が強固なものとなる。
【００１６】
第４例を図１７に示し説明する。中軸２２の後端面を外径方向に向けて傾斜（後端傾斜面３７）させた例であるが、内径方向に向けて傾斜させても良い（第５例、図１８；後端傾斜面３８）。一方、クリップ１２の玉部１４には、接触・係合時において面接触する先端面部１４ａが形成されている。この様に、係合時において、玉部１４の先端面部１４ａを中軸２２の後端傾斜面３７、３８のほぼ全領域に面接触させることによって、接触面積が増加し、その結果、弾撥部材２１の付勢力を分散させることができ、後端傾斜面３７、３８の損傷を防止することができる。
【００１７】
第６例を図１９、図２０に示し説明する。クリップ１２を樹脂材質とし射出成型などの手段によって成形した例であり、本例における玉部３９は、クリップ１２の前方下端の全域に渡って形成されている。即ち、前記各例においては、対向する玉部１４間に空間部１４ｂを形成しているが、本例においてはその空間部が存在しておらず、無垢状をなしている。玉部を無垢状にすることによって、玉部３９の剛性を高め、玉部３９の変形を防止しているのである。
尚、これら第４例〜第６例の何れにおいても、前記第１例〜第３例と同様に、筆記体ユニットの没入動作時においては、即ち、係合を解除する過程においては、玉部が中軸の後端面部に対して継続的に接触しながら摺動し得るようになっている。
【符号の説明】
【００１８】
１      軸筒
２      前軸
３      後軸
４      グリップ部材
５      突部
６      外筒
７      貫通孔
８      先部材
９      先端開口部
１０    前方窓孔
１１    後方窓孔
１２    クリップ
１３    連結部材
１４    玉部
１５    隆起部
１６    貫通孔
１７    貫通孔
１８    支軸
１９    ねじりコイルばね
２０    筆記体ユニット
２１    弾撥部材
２２    中軸
２３    芯タンク
２４    継手
２５    チャック体
２６    チャックリング
２７    先金
２８    芯戻り止め部材
２９    ガイドパイプ
３０    弾撥部材
３１    縦突起
３２    縦溝
３３    消しゴム受け部材
３４    消しゴム
３５    ノック部材
３６    大径部
３７    後端傾斜面
３８    後端傾斜面
３９    玉部
【図１】
0005532761.tif 000002
【図２】
0005532761.tif 000003
【図３】
0005532761.tif 000004
【図４】
0005532761.tif 000005
【図５】
0005532761.tif 000006
【図６】
0005532761.tif 000007
【図７】
0005532761.tif 000008
【図８】
0005532761.tif 000009
【図９】
0005532761.tif 000010
【図１０】
0005532761.tif 000011
【図１１】
0005532761.tif 000012
【図１２】
0005532761.tif 000013
【図１３】
0005532761.tif 000014
【図１４】
0005532761.tif 000015
【図１５】
0005532761.tif 000016
【図１６】
0005532761.tif 000017
【図１７】
0005532761.tif 000018
【図１８】
0005532761.tif 000019
【図１９】
0005532761.tif 000020
【図２０】
0005532761.tif 000021